(57)【要約】【課題】２ピン口金の口金ピンの誤装着を抑制できるソケットを提供する。【解決手段】２つの口金ピン１１１を有する２ピン口金１１０が一方端に設けられた直管形ランプを装着するための給電側ソケット１０であって、ソケット本体１１と、ソケット本体１１に設けられ、２ピン口金１１０が接続される回転子１２とを備え、回転子１２には、２つの口金ピン１１１が挿入される開口が設けられており、回転子１２における２つの口金ピン１１１が挿入される部分の間には、２つの口金ピン１１１が回転子１２の内部に侵入することを抑止するための抑止構造が設けられている。【選択図】図２
2014182990.tif 000002
【特許請求の範囲】
【請求項１】
２つの口金ピンを有する口金が一方端に設けられた直管形ランプを装着するためのソケットであって、
ソケット本体と、
前記ソケット本体に設けられ、前記口金が接続される接続部材とを備え、
前記接続部材には、前記２つの口金ピンが挿入される開口が設けられており、
前記接続部材における前記２つの口金ピンが挿入される部分の間には、前記２つの口金ピンが前記接続部材の内部に侵入することを抑止するための抑止構造が設けられている
ソケット。
【請求項２】
前記接続部材には、前記２つの口金ピンが挿入される１つの開口を有する挿入孔が設けられており、
前記抑止構造は、前記挿入孔の前記１つの開口の領域のうち前記２つの口金ピンが挿入される領域以外の領域において、前記挿入孔の内方から前記開口の開口面に向かって突出するように設けられた突起部である
請求項１に記載のソケット。
【請求項３】
前記１つの開口は、前記２つの口金ピンの各々が挿入される一対のピン用開口と、前記一対のピン用開口を接続する連結部とによって構成されており、
前記突起部は、前記連結部に対応して設けられている
請求項２に記載のソケット。
【請求項４】
前記突起部は、前記開口面の近傍にまで突出している
請求項２又は３に記載のソケット。
【請求項５】
前記接続部材には、前記２つの口金ピンの各々が挿入される挿通孔として一対のピン用開口が設けられており、
前記接続部材には、前記抑止構造として、前記一対のピン用開口の間を塞ぐように前記一対のピン用開口の間を連結する連結部が設けられている
請求項１に記載のソケット。
【請求項６】
前記接続部材は、前記ソケット本体に対して回転自在に取り付けられた回転子である
請求項１〜５のいずれか１項に記載のソケット。
【請求項７】
請求項１〜６のいずれか１項に記載のソケットを備える
照明器具。
【請求項８】
さらに、前記直管形ランプの他方端に設けられた、１つの口金ピンを有する口金が装着される第２ソケットを備え、
前記第２ソケットは、
ソケット本体と、
前記ソケット本体に設けられ、前記口金が装着される接続部材とを備え、
前記接続部材は、前記1つの口金ピンが挿入される挿入孔を有しており、かつ、前記１つの口金ピンの前記挿入孔への挿入方向に沿って摺動可能である
請求項７に記載の照明器具。
【請求項９】
請求項１〜６のいずれか１項に記載のソケットと、
前記ソケットに装着された前記直管形ランプとを備える
照明装置。
【請求項１０】
さらに、前記直管形ランプの他方端に設けられた、１つの口金ピンを有する口金が装着される第２ソケットを備え、
前記第２ソケットは、
ソケット本体と、
前記ソケット本体に設けられ、前記口金が装着される接続部材とを備え、
前記接続部材は、前記1つの口金ピンが挿入される挿入孔を有しており、かつ、前記１つの口金ピンの前記挿入孔への挿入方向に沿って摺動可能である
請求項９に記載の照明装置。
【発明の詳細な説明】
【技術分野】
【０００１】
本発明は、ソケット、照明器具及び照明装置に関する。
【背景技術】
【０００２】
発光ダイオード（ＬＥＤ：Ｌｉｇｈｔ  Ｅｍｉｔｔｉｎｇ  Ｄｉｏｄｅ）等の半導体発光素子は、小型、高効率及び長寿命であることから、様々な製品の光源として期待されている。
【０００３】
近年、蛍光ランプに比べて低消費電力かつ長寿命であるとして、ＬＥＤを光源とするＬＥＤランプが急速に普及しており、既存の蛍光ランプからＬＥＤランプへの置き換えが進んでいる。例えば、直管形蛍光ランプの代替光源として直管形ＬＥＤランプの開発が進められており、様々なサイズに対応するものが販売されている。
【０００４】
また、ＬＥＤランプについては、ＪＥＬ８０１に代表されるように、日本電球工業会による規格の制定も行われている。ＪＥＬ８０１に準拠した直管形ＬＥＤランプは、Ｌ形ピン口金と呼ばれる口金を有している。
【０００５】
図８は、ＪＥＬ８０１に準拠した直管形ＬＥＤランプ１００の斜視図である。図８に示すように、この種の直管形ＬＥＤランプ１００は、一方の端部には２本のＬ字形の口金ピン１１１を有する２ピン口金（給電側の口金）１１０が設けられており、他方の端部には１本の口金ピン１２１を有する１ピン口金（非給電側の口金）１２０が設けられている。
【０００６】
直管形ＬＥＤランプの両端部の口金は照明器具の一対のソケットに装着されるが、Ｌ形ピン口金は、独自の口金であるため既存の蛍光灯用ソケットとの互換性がない。このため、上記のようにＪＥＬ８０１に準拠した直管形ＬＥＤランプ１００については、２ピン口金と１ピン口金とに対応した専用のソケットが必要になる。例えば特許文献１には、ＪＥＬ８０１に準拠した直管形ＬＥＤランプのＬ形ピン口金に対応したランプソケットが開示されている。
【先行技術文献】
【特許文献】
【０００７】
【特許文献１】特開２０１２−１８２０３３号公報
【発明の概要】
【発明が解決しようとする課題】
【０００８】
ＪＥＬ８０１に準拠した直管形ＬＥＤランプ１００の口金に対応したソケットとして、図９に示す構成のものがある。図９（ａ）は、２ピン口金に対応した給電側ソケット２１０の一例を示す斜視図であり、図９（ｂ）は、１ピン口金に対応した非給電側ソケット２２０の一例を示す斜視図である。
【０００９】
図９（ａ）に示すように、給電側ソケット２１０には、直管形ＬＥＤランプ１００の２ピン口金１１０の口金ピン１１１が挿入される挿入孔２１１が設けられている。さらに、給電側ソケット２１０には、口金ピン１１１を鉛直下方から挿入できるように、挿入孔２１１の下方端を開放する口金ピン挿入用開口２１１ａが設けられている。
【００１０】
また、図９（ｂ）に示すように、非給電側ソケット２２０には、直管形ＬＥＤランプ１００の１ピン口金１２０の口金ピン１２１が挿入される挿入孔２２１が設けられている。さらに、給電側ソケット２１０にも、口金ピン１２１を鉛直下方から挿入できるように、挿入孔２２１の下方端を開放する口金ピン挿入用開口２２１ａが設けられている。
【００１１】
図１０は、図９（ａ）及び図９（ｂ）に示される給電側ソケット２１０及び非給電側ソケット２２０が設けられた照明器具２００に、図８に示される直管形ＬＥＤランプ１００を装着するときの様子を示している。
【００１２】
この場合、まず、図１０（ａ）に示すように、水平に維持した状態で直管形ＬＥＤランプ１００を反重力方向に持ち上げて、直管形ＬＥＤランプ１００における２ピン口金１１０及び１ピン口金１２０を、鉛直下方から給電側ソケット２１０及び非給電側ソケット２２０に挿入する。このとき、口金ピン１１１及び１２１は、図９（ａ）及び図９（ｂ）に示される口金ピン挿入用開口２１１ａ及び２２１ａから挿入する。
【００１３】
続いて、図１０（ｂ）に示すように、管軸を中心として直管形ＬＥＤランプ１００を９０度回転させる。これにより、図１０（ｃ）に示すように、直管形ＬＥＤランプ１００を照明器具２００に装着することができる。
【００１４】
また、直管形ＬＥＤランプ１００の長尺筐体（直管）が樹脂製である場合、長尺筐体が熱によって大きく伸縮し、直管形ＬＥＤランプ１００の寸法が大きく変化することがある。このため、給電側ソケット又は非給電側ソケットには、熱収縮による直管形ＬＥＤランプ１００の寸法変化を吸収できる構造（ランプ伸縮吸収機構）が求められる。一方で、Ｌ形ピン口金に対応するソケットには、一般的に直管形ＬＥＤランプ１００を回転させるための回転構造も求められる。
【００１５】
そこで、ＪＥＬ８０１に準拠した直管形ＬＥＤランプ１００の口金に対応した他のソケットとして、図１１に示す構成のものがある。図１１（ａ）は、２ピン口金に対応した給電側ソケット３１０を示す斜視図であり、図１１（ｂ）は、１ピン口金に対応した非給電側ソケット３２０を示す斜視図である。
【００１６】
図１１（ａ）に示すように、給電側ソケット３１０には、直管形ＬＥＤランプ１００の２ピン口金１１０の口金ピン１１１が挿入される挿入孔３１１が設けられている。
【００１７】
また、図１１（ｂ）に示すように、非給電側ソケット３２０には、直管形ＬＥＤランプ１００の１ピン口金１２０の口金ピン１２１が挿入される挿入孔３２１が設けられている。さらに、非給電側ソケット３２０は、内蔵されたコイルバネ等を利用して摺動可能に構成されたプランジャー３２２を有する。これにより、熱による伸縮によって直管形ＬＥＤランプ１００の管軸方向の寸法が変化しても、プランジャー３２２の可動によって寸法変化を吸収することができる。
【００１８】
図１２は、図１１（ａ）及び図１１（ｂ）に示される給電側ソケット３１０及び非給電側ソケット３２０が設けられた照明器具３００に、図８に示される直管形ＬＥＤランプ１００を装着する様子を示している。
【００１９】
この場合、まず、図１２（ａ）に示すように、直管形ＬＥＤランプ１００の１ピン口金１２０の口金ピン１２１を非給電側ソケット３２０の挿入孔３２１（図１１（ｂ）参照）に挿入するようにして、１ピン口金１２０を非給電側ソケット３２０に対して斜め方向から押し当てる。
【００２０】
続いて、図１２（ｂ）に示すように、２ピン口金１１０が給電側ソケット３１０に対向するように２ピン口金１１０を持ち上げて、直管形ＬＥＤランプ１００を水平にする。このとき、同図に示すように、プランジャー３２２は直管形ＬＥＤランプ１００からの押圧力によってコイルバネを縮めるようにしてソケット本体内に押し込まれる。このため、直管形ＬＥＤランプ１００は、コイルバネの弾性力によって付勢された状態となる。
【００２１】
その後、図１２（ｃ）に示すように、直管形ＬＥＤランプ１００によるプランジャー３２２への押圧力を開放する。これにより、コイルバネの復元力によってプランジャー３２２が元の位置にまで押し戻されて、２ピン口金１１０の２本の口金ピン１１１が給電側ソケット３１０の挿入孔３１１（図１１（ａ）参照）に挿入される。
【００２２】
続いて、同図に示すように、管軸を中心として直管形ＬＥＤランプ１００を９０度回転させる。これにより、図１２（ｄ）に示すように、直管形ＬＥＤランプ１００を照明器具３００に装着することができる。
【００２３】
しかしながら、図１２に示す装着方法では、プランジャー３２２の押し戻しによって２ピン口金１１０の口金ピン１１１が給電側ソケット３１０の挿入孔３１１に挿入する際（図１２（ｂ）のとき）、口金ピン１１１が挿入孔３１１の予期せぬ箇所に入ってしまうという誤装着の問題がある。
【００２４】
具体的には、図１１（ａ）に示すように、給電側ソケット３１０の挿入孔３１１は、２つの口金ピン１１１が挿入される１つの開口を有しており、当該１つの開口は、２つの口金ピン１１１の各々が挿入される開口である一対のピン挿入用開口３１１ａと、一対のピン挿入用開口３１１ａを連結する開口である連結部（連結開口）３１１ｂとによって構成されている。このため、図１２（ｂ）において、直管形ＬＥＤランプ１００が水平に保たれていないと、２つの口金ピン１１１の一方が連結部３１１ｂに挿入されてしまって誤装着が発生する。
【００２５】
また、照明器具は天井等の高い位置に配置されていることが多く、直管形ＬＥＤランプ１００の照明器具への取り付けは脚立やはしご等を用いて行うことも少なくない。このため、直管形ＬＥＤランプ１００の取り付ける際は足場が悪く、２ピン口金１１０を給電側ソケット３１０に接続する際（図１２（ｂ）のとき）、直管形ＬＥＤランプ１００を水平に保つことが容易ではない。特に、全長が２ｍを越えるような１１０形の直管形ＬＥＤランプ等もあるが、このような直管形ＬＥＤランプは撓みやすく、水平に保つことが困難である。
【００２６】
また、２ピン口金１１０が誤装着したままの状態で直管形ＬＥＤランプ１００を回転させてしまうこともあるが、この場合、口金ピン１１１が２ピン口金１１０にきつく噛んでしまい、直管形ＬＥＤランプ１００を装着し直すのに非常に手間がかかることもある。
【００２７】
さらに、給電側ソケット３１０には充電部となる一対の給電用端子が存在するので、口金ピン１１１が誤装着すると、安全性に欠けるという問題もある。
【００２８】
本発明は、このような問題を解決するためになされたものであり、２ピン口金の口金ピンの誤装着を抑制できるソケット等を提供することを目的とする。
【課題を解決するための手段】
【００２９】
上記目的を達成するために、本発明に係るソケットの一態様は、２つの口金ピンを有する口金が一方端に設けられた直管形ランプを装着するためのソケットであって、ソケット本体と、前記ソケット本体に設けられ、前記口金が接続される接続部材とを備え、前記接続部材には、前記２つの口金ピンが挿入される開口が設けられており、前記接続部材における前記２つの口金ピンが挿入される部分の間には、前記２つの口金ピンが前記接続部材の内部に侵入することを抑止するための抑止構造が設けられていることを特徴とする。
【００３０】
また、本発明に係るソケットの一態様において、前記接続部材には、前記２つの口金ピンが挿入される１つの開口を有する挿入孔が設けられており、前記抑止構造は、前記挿入孔の前記１つの開口の領域のうち前記２つの口金ピンが挿入される領域以外の領域において、前記挿入孔の内方から前記開口の開口面に向かって突出するように設けられた突起部である、としてもよい。
【００３１】
また、本発明に係るソケットの一態様において、前記１つの開口は、前記２つの口金ピンの各々が挿入される一対のピン用開口と、前記一対のピン用開口を接続する連結部とによって構成されており、前記突起部は、前記連結部に対応して設けられている、としてもよい。
【００３２】
また、本発明に係るソケットの一態様において、前記突起部は、前記開口面の近傍にまで突出している、としてもよい。
【００３３】
また、本発明に係るソケットの一態様において、前記接続部材には、前記２つの口金ピンの各々が挿入される挿通孔として一対のピン用開口が設けられており、前記接続部材には、前記抑止構造として、前記一対のピン用開口の間を塞ぐように前記一対のピン用開口の間を連結する連結部が設けられている、としてもよい。
【００３４】
また、本発明に係るソケットの一態様において、前記接続部材は、前記ソケット本体に対して回転自在に取り付けられた回転子である、としてもよい。
【００３５】
また、本発明に係る照明器具の一態様は、上記いずれかに記載のソケットを備えることを特徴とする。
【００３６】
また、本発明に係る照明器具の一態様において、さらに、前記直管形ランプの他方端に設けられた、１つの口金ピンを有する口金が装着される第２ソケットを備え、前記第２ソケットは、ソケット本体と、前記ソケット本体に設けられ、前記口金が装着される接続部材とを備え、前記接続部材は、前記1つの口金ピンが挿入される挿入孔を有しており、かつ、前記１つの口金ピンの前記挿入孔への挿入方向に沿って摺動可能である、としてもよい。
【００３７】
また、本発明に係る照明装置の一態様は、上記いずれかに記載のソケットと、前記ソケットに装着された前記直管形ランプとを備えることを特徴とする。
【００３８】
また、本発明に係る照明装置の一態様において、さらに、前記直管形ランプの他方端に設けられた、１つの口金ピンを有する口金が装着される第２ソケットを備え、前記第２ソケットは、ソケット本体と、前記ソケット本体に設けられ、前記口金が装着される接続部材とを備え、前記接続部材は、前記1つの口金ピンが挿入される挿入孔を有しており、かつ、前記１つの口金ピンの前記挿入孔への挿入方向に沿って摺動可能である、としてもよい。
【発明の効果】
【００３９】
本発明によれば、２ピン口金の口金ピンの誤装着を抑制できる。
【図面の簡単な説明】
【００４０】
【図１Ａ】本発明の実施の形態に係る照明器具の側面図である。
【図１Ｂ】本発明の実施の形態に係る照明装置の側面図である。
【図２】（ａ）は、本発明の実施の形態に係る給電側ソケットの斜視図であり、（ｂ）は、本発明の実施の形態に係る非給電側ソケットの斜視図である。
【図３】本発明の実施の形態に係る給電側ソケットの分解斜視図である。
【図４Ａ】本発明の実施の形態に係る給電側ソケットの斜視断面図である。
【図４Ｂ】本発明の実施の形態に係る給電側ソケットの側断面図である。
【図５】本発明の実施の形態に係る照明器具に直管形ＬＥＤランプを装着するときの装着方法を説明するための図である。
【図６Ａ】本発明の実施の形態に係る給電側ソケットに口金ピンを挿入するときの様子を示す斜視図である。
【図６Ｂ】本発明の実施の形態に係る給電側ソケットに口金ピンを挿入するときの様子を示す斜視図である。
【図７Ａ】本発明の実施の形態に係る給電側ソケットにおける突起部の第１変形例を示す斜視図である。
【図７Ｂ】本発明の実施の形態に係る給電側ソケットにおける突起部の第２変形例を示す斜視図である。
【図７Ｃ】本発明の実施の形態に係る給電側ソケットにおける突起部の第３変形例を示す斜視図である。
【図７Ｄ】本発明の実施の形態に係る給電側ソケットにおける突起部の第４変形例を示す斜視図である。
【図８】ＪＥＬ８０１に準拠した直管形ＬＥＤランプの斜視図である。
【図９】（ａ）は、２ピン口金に対応した給電側ソケットの一例を示す斜視図であり、（ｂ）は、１ピン口金に対応した非給電側ソケットの一例を示す斜視図である。
【図１０】照明器具に直管形ＬＥＤランプを装着するときの装着方法の一例を説明するための図である。
【図１１】（ａ）は、２ピン口金に対応した給電側ソケットの他の一例を示す斜視図であり、（ｂ）は、１ピン口金に対応した非給電側ソケットの他の一例を示す斜視図である。
【図１２】照明器具に直管形ＬＥＤランプを装着するときの装着方法の他の一例を説明するための図である。
【発明を実施するための形態】
【００４１】
以下、本発明の実施の形態について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置及び接続形態、工程（ステップ）、工程の順序などは、一例であって本発明を限定する主旨ではない。よって、以下の実施の形態における構成要素のうち、本発明の最上位概念を示す独立請求項に記載されていない構成要素については、任意の構成要素として説明される。
【００４２】
なお、各図は、模式図であり、必ずしも厳密に図示されたものではない。また、各図において、実質的に同一の構成に対しては同一の符号を付しており、重複する説明は省略又は簡略化する。
【００４３】
（実施の形態）
まず、本発明の実施の形態に係る照明器具１及び照明装置２の概略構成について、図１Ａ及び図１Ｂを用いて説明する。図１Ａは、本発明の実施の形態に係る照明器具１の側面図である。図１Ｂは、本発明の実施の形態に係る照明装置２の側面図である。
【００４４】
図１Ａに示すように、本実施の形態に係る照明器具１は、直管形ＬＥＤランプが装着される器具であって、給電側ソケット１０と、非給電側ソケット２０と、器具本体３０とを備える。給電側ソケット１０及び非給電側ソケット２０は、器具本体３０に設けられている。
【００４５】
また、図１Ｂに示すように、本実施の形態に係る照明装置２は、図１Ａに示す照明器具１と、照明器具１に装着された直管形ＬＥＤランプ１００とによって構成されている。
【００４６】
照明器具１は、給電側ソケット１０及び非給電側ソケット２０によって直管形ＬＥＤランプ１００を保持するとともに、直管形ＬＥＤランプ１００への給電を行う。なお、給電側ソケット１０及び非給電側ソケット２０は、直管形ＬＥＤランプ１００が着脱可能な構造を有する。
【００４７】
給電側ソケット（第１ソケット）１０は、直管形ＬＥＤランプ１００を装着するためのランプソケットである。給電側ソケット１０には、直管形ＬＥＤランプ１００の一方の端部に設けられた２ピン口金１１０が接続される。
【００４８】
給電側ソケット１０は、後述する電源回路に接続されており、直管形ＬＥＤランプ１００を点灯させるための電力を、２ピン口金１１０（口金ピン１１１）に供給する。
【００４９】
非給電側ソケット（第２ソケット）２０も、直管形ＬＥＤランプ１００を装着するためのランプソケットである。非給電側ソケット２０には、直管形ＬＥＤランプ１００の他方の端部に設けられた１ピン口金１２０が接続される。
【００５０】
非給電側ソケット２０は、直管形ＬＥＤランプ１００への給電は行わず、直管形ＬＥＤランプ１００を保持する機能のみを有しているが、アース機能を有するように構成してもよい。この場合、直管形ＬＥＤランプ１００における１ピン口金１２０の口金ピン１２１はアースピンとなり、非給電側ソケット２０には、挿入された口金ピン１２１を接地電位とするための構成が設けられる。
【００５１】
器具本体３０は、例えばアルミ鋼板をプレス加工等することによって成形することができる。器具本体３０の内面は、直管形ＬＥＤランプ１００から発せられた光を反射させる反射面となっている。
【００５２】
なお、図示しないが、照明器具１には、直管形ＬＥＤランプ１００を点灯させるための電力を生成する電源回路が設けられている。電源回路は、例えば、ＡＣ１００Ｖの商用電源からの交流電力を直流電力に変換し、当該直流電力を直管形ＬＥＤランプ１００に供給する。なお、電源回路は、照明器具１ではなく、直管形ＬＥＤランプ１００に設けてもよい。
【００５３】
このように構成される照明器具１は、例えば室内の天井等に固定具を介して装着される。なお、照明器具１には、直管形ＬＥＤランプ１００を覆うように透光性のカバー部材が設けられていてもよい。
【００５４】
直管形ＬＥＤランプ１００としては、例えば図８に示されるようなＬ形ピン口金を有するものを用いることができる。すなわち、直管形ＬＥＤランプ１００の一方の端部には、２本の口金ピン１１１を有する２ピン口金（給電側の口金）１１０が設けられており、他方の端部には、１本の口金ピン１２１を有する１ピン口金（非給電側の口金）１２０が設けられている。このように、本実施の形態における直管形ＬＥＤランプ１００は、片側給電方式が採用されている。
【００５５】
より詳細には、直管形ＬＥＤランプ１００は、図８に示すように、ガラスや合成樹脂等の透光性材料からなる長尺円筒状の直管（長尺筐体）１３０と、直管１３０の両端に設けられた２ピン口金１１０及び１ピン口金１２０と、直管１３０内に配置された長尺状の金属基台（ヒートシンク）（不図示）と、金属基台の上に配置された長尺状のＬＥＤモジュール（不図示）と、直管１３０内に配置された点灯回路（不図示）とによって構成されている。
【００５６】
２ピン口金１１０は、直管１３０の一方の端部を蓋するように構成された有底円筒状の口金本体によって構成されている。２本のＬ字形の口金ピン（給電ピン）１１１は、口金本体の端面から管軸方向に沿って突出するように設けられている。２本の口金ピン１１１の各々は、先端部が折り曲げられた板状の金属材料（例えば真ちゅう）によって構成されている。各口金ピン１１１のＬ字形状の寸法は、例えば、管軸方向の部分の長さが７．０ｍｍ〜７．６ｍｍであり、先端の折れ曲がった部分の長さが２．５ｍｍである。
【００５７】
１ピン口金１２０は、直管１３０の他方の端部を蓋するように構成された有底円筒状の口金本体によって構成されている。１本の口金ピン１２１は、口金本体の端面から管軸方向に沿って突出するように設けられている。口金ピン１２１は、金属材料（例えば真ちゅう）からなり、丸棒状の軸部と軸部の先端に形成された長円状の径大部とによって断面Ｔ字状に構成されている。
【００５８】
なお、２ピン口金１１０及び１ピン口金１２０の口金本体は、ＰＢＴ（ポリブチレンテレフタレート）等の樹脂材料によって構成することができる。
【００５９】
ＬＥＤモジュールは、ＣＯＢ（Ｃｈｉｐ  Ｏｎ  Ｂｏａｒｄ）構造又はＳＭＤ（Ｓｕｒｆａｃｅ  Ｍｏｕｎｔ  Ｄｅｖｉｃｅ）構造とすることができ、例えば、基板と、当該基板の上に実装された複数のＬＥＤとによって構成されている。なお、ＣＯＢ構造の場合、ＬＥＤとしてベアチップ（例えば青色ＬＥＤチップ）を用い、ＬＥＤを透光性の封止部材によって封止する。さらに、この場合、封止部材として、蛍光体が含有された樹脂（蛍光体含有樹脂）を用いてもよい。また、ＳＭＤ構造の場合、ＬＥＤとしてパッケージ化されたＳＭＤ型のＬＥＤ素子を用いる。
【００６０】
なお、直管形ＬＥＤランプ１００としては、例えばランプ全長が約２３６７ｍｍである１１０形の直管形ランプ、又は、４フィートの直管形ランプ等を用いることができる。また、直管形ＬＥＤランプの構造としては、上記のように外郭筐体（直管１３０）が非分割型ではなく、外郭筐体が長尺状の透光性樹脂カバーと長尺状の金属基台（ヒートシンク）とに分離可能に構成された分割型であってもよい。
【００６１】
次に、給電側ソケット１０及び非給電側ソケット２０の構成について、図２、図３、図４Ａ及び図４Ｂを用いて説明する。
【００６２】
図２（ａ）は、本発明の実施の形態に係る給電側ソケット１０の斜視図であり、図２（ｂ）は、本発明の実施の形態に係る非給電側ソケット２０の斜視図である。図３は、本発明の実施の形態に係る給電側ソケットの分解斜視図である。図４Ａ及び図４Ｂは、本発明の実施の形態に係る給電側ソケットの斜視断面図及び側断面図である。
【００６３】
図２（ａ）、図３、図４Ａ及び図４Ｂに示すように、２ピン口金１１０に対応する給電側ソケット１０は、２ピン口金１１０を回転させるための回転構造を有するソケットであり、ソケット本体（ケース）１１と、ソケット本体１１に設けられた回転子（回転支持部材）１２と、ソケット本体１１に設けられた突起部１３と、ソケット本体１１の内部に設けられた一対の給電用端子１４ａ及び１４ｂ（図３参照）とを備える。
【００６４】
ソケット本体１１は、前面側が開口する箱状のカバー１１ａと、カバー１１ａの前面開口を閉塞する形でカバー１１ａに取り付けられたボディ１１ｂとで構成されている。カバー１１ａ及びボディ１１ｂは、例えばＰＢＴ等の絶縁性樹脂材料によって構成することができる。
【００６５】
回転子１２は、直管形ＬＥＤランプ１００の２ピン口金１１０が接続される接続部材であり、２ピン口金１１０が接続されたときに当該２ピン口金１１０と対面する受金面１２ａを有する。回転子１２も、例えばＰＢＴ等の絶縁性樹脂材料によって構成することができる。
【００６６】
回転子１２には、直管形ＬＥＤランプ１００の２ピン口金１１０の２本の口金ピン１１１が挿入される挿入孔（ランプピン挿入孔）１２ｂが設けられている。挿入孔１２ｂは、受金面１２ａの一部を貫通する開口を形成することによって構成されている。
【００６７】
本実施の形態における挿入孔１２ｂは、２本の口金ピン１１１が挿入される１つの開口を有しており、この１つの開口は、２本の口金ピン１１１の各々が挿入される開口である一対のピン挿入用開口１２ｂ１と、一対のピン挿入用開口１２ｂ１を連結する開口である連結部（連結開口）１２ｂ２とによって構成されている。つまり、一対のピン挿入用開口１２ｂ１と連結部１２ｂ２とは１つの開口として構成されている。
【００６８】
連結部１２ｂ２は、本来、口金ピン１１１が挿入されない口金ピン非挿入開口領域であり、回転子１２の中央において円形状に形成されている。また、一対のピン挿入用開口１２ｂ１は、回転子１２の上下の部分を切り欠くようにも形成されている。なお、一対のピン挿入用開口１２ｂ１は、回転子１２の上下の部分を切り欠かずに上下の開口が閉じられた構成（開口閉じ部）としても構わない。これにより、口金ピン１１１が挿入されたときに、誤って直管形ＬＥＤランプ１００が落下しそうになっても、上記開口閉じ部に口金ピン１１１が引っ掛かるので、直管形ＬＥＤランプ１００が落下することを防止できる。つまり、開口閉じ部は、直管形ＬＥＤランプ１００の落下防止のストッパとして機能する。
【００６９】
回転子１２は、ソケット本体１１のボディ１１ｂに形成された開口に取り付けられており、ソケット本体１１に対して回転自在に構成されている。本実施の形態において、回転子１２は、挿入孔１２ｂの孔軸（図３における一点線）を中心に回転するように構成されている。つまり、回転子１２の回転軸は、直管形ＬＥＤランプ１００の管軸と一致する。
【００７０】
カバー１１ａには、挿入孔１２ｂの内方から挿入孔１２ｂの開口の開口面に向かって突出する突起部１３が設けられている。突起部１３は、回転子１２における２つの口金ピン１１１が挿入される部分（ピン挿入用開口１２ｂ１）の間に設けられており、２つの口金ピン１１１が回転子１２の内部に侵入することを抑止するための抑止構造である。つまり、突起部１３は、挿入孔１２ｂにおける１つの開口の領域のうち２本の口金ピン１１１が挿入される領域以外の領域（口金ピン非挿入開口領域）に設けられている。本実施の形態において、突起部１３は、挿入孔１２ｂの連結部１２ｂ２に対応して設けられており、突起部１３の中心軸と連結部（連結開口）１２ｂ２の孔軸とは一致している。
【００７１】
また、突起部１３は、口金ピン１１１が挿入孔１２ｂの連結部１２ｂ２に侵入しないような形状とすればよい。つまり、突起部１３は、連結部１２ｂ２を正面からみたときの開口領域が極力小さくなるように構成すればよく、少なくとも、突起部１３の先端部の形状は、口金ピン１１１が連結部１２ｂ２の開口内に侵入しようとしたときに、口金ピン１１１の先端部が当接するような形状であればよい。本実施の形態において、突起部１３は、当該突起部１３を正面から見たときに、中心から６方向に放射状に延びる６つの線状部を有する構成としている。
【００７２】
このように、突起部１３を設けることによって、連結部１２ｂ２の開口内に２ピン口金１１０の口金ピン１１１が入り込むことを抑止できる。したがって、２ピン口金１１０（口金ピン１１１）の誤装着を抑制することができる。なお、突起部１３は、挿入孔１２ｂの開口面の近傍にまで突出していることが好ましい。これにより、連結部１２ｂ２に口金ピン１１１が入り込む余地を最大限に低減することができるので、２ピン口金１１０（口金ピン１１１）の誤装着を一層抑制できる。
【００７３】
一対の給電用端子１４ａ及び１４ｂ（図３参照）の各々は、弾性を有する導電性材料（例えば銅等の金属材料）によって構成されており、リード線等を介して電源回路の出力端子に電気的に接続されている。これにより、一対の給電用端子１４ａ及び１４ｂには、電源回路から所定の電力（例えば直流電力）が供給される。
【００７４】
このように構成される給電側ソケット１０において、挿入孔１２ｂに口金ピン１１１が挿入された状態で直管形ＬＥＤランプ１００を回転（例えば９０度回転）させることによって回転子１２も回転する。これにより、２本の口金ピン１１１の各々が一対の給電用端子１４ａ及び１４ｂの各々に接触して導通状態となる。
【００７５】
なお、回転子１２は、右回り及び左回りのどちらの方向にも回転できるように構成されていてもよい。また、給電側ソケット１０は、挿入孔１２ｂに口金ピン１１１が挿入された状態で回転子１２を９０度回転させたときに、口金ピン１１１が挿入孔１２ｂから抜け出さないような構造を備えていてもよい。
【００７６】
次に、非給電側ソケット２０について説明する。図２（ｂ）に示すように、非給電側ソケット２０は、ソケット本体（ケース）２１と、ソケット本体２１に設けられたプランジャー２２とを備える。
【００７７】
ソケット本体２１は、前面側が開口する箱状のカバー２１ａと、カバー２１ａの前面開口を閉塞する形でカバー２１ａに取り付けられたボディ２１ｂとで構成されている。カバー２１ａ及びボディ２１ｂは、例えばＰＢＴ等の絶縁性樹脂材料によって構成することができる。
【００７８】
プランジャー２２は、直管形ＬＥＤランプ１００の１ピン口金１２０が接続される接続部材であり、１ピン口金１２０が接続されたときに当該１ピン口金１２０と対面する受金面２２ａを有する。プランジャー２２も、例えばＰＢＴ等の絶縁性樹脂材料によって構成することができる。
【００７９】
プランジャー２２には、直管形ＬＥＤランプ１００の１ピン口金１２０の１本の口金ピン１２１が挿入される挿入孔（ランプピン挿入孔）２２ｂが設けられている。プランジャー２２は、口金ピン１２１の挿入孔２２ｂへの挿入方向に沿って摺動可能である。
【００８０】
また、挿入孔２２ｂは、受金面２２ａの中央に形成されている。挿入孔２２ｂには、１ピン口金１２０の口金ピン１２１を受ける部分として、テンレス等の金属材料からなる円筒状のピン受け部が設けられている。
【００８１】
本実施の形態において、挿入孔２２ｂは、当該挿入孔２２ｂに１ピン口金１２０の口金ピン１２１を挿入して回転させたときに、口金ピン１２１の先端の径大部が接触保持できるように構成されている。具体的には、挿入孔２２ｂを正面から見たときの形状は、縦長の長円形であり、挿入孔２２ｂの縦方向の内径が口金ピン１２１の径大部の長径よりも大きく、かつ、挿入孔２２ｂの横方向の内径が口金ピン１２１の径大部の長径よりもわずかに小さい。これにより、挿入孔２２ｂに口金ピン１２１の先端の径大部を挿入し、その後、口金ピン１２１を回転させることによって、口金ピン１２１の径大部が挿入孔２２ｂの内面に挟持されて接触保持される。
【００８２】
非給電側ソケット２０には、プランジャー２２とソケット本体２１のカバー２１ａの内面との間にコイルバネ（不図示）が挿入されている。また、プランジャー２２は、ソケット本体２１のボディ２１ｂの内側に形成された円形開口部内に嵌合されており、ソケット本体２１に対して円形開口部の軸に沿って可動するように構成されている。
【００８３】
また、本実施の形態におけるプランジャー２２は、ＲＸ１７ｄ口金のソケットに用いられるプランジャーの形状をしており、十字形状に構成されている。したがって、プランジャー２２の受金面２２ａも十字形状に構成されている。
【００８４】
このように構成されるプランジャー２２は、直管形ＬＥＤランプ１００の１ピン口金１２０が押し当てられて押圧力が付与されることによって、コイルバネの反力に抗しながらソケット本体２１の内方に向かって所定量だけ押し込まれるように摺動する。このとき、コイルバネが縮むことで、プランジャー２２は、コイルバネの弾性力によって付勢された状態となる。また、プランジャー２２への押圧力が開放されると、プランジャー２２は、コイルバネの復元力によって元の位置（コイルバネが伸びきった位置）にまで押し戻されるように摺動する。
【００８５】
このように、非給電側ソケット２０に可動するプランジャー２２を設けることによって、熱収縮による直管形ＬＥＤランプ１００の寸法変化を吸収できる。つまり、本実施の形態における非給電側ソケット２０は、ランプ伸縮吸収機構を有するものであり、直管形ＬＥＤランプ１００の管軸方向に可動できる可動側ソケットである。一方、給電側ソケット１０は、管軸方向に可動できない固定側ソケットである。なお、非給電側ソケット２０には、給電側ソケット１０のような回転子１２（回転構造）が設けられていない。
【００８６】
次に、本実施の形態に係る照明器具１に図８に示される直管形ＬＥＤランプ１００を装着するときの装着方法について、図５、図６Ａ及び図６Ｂを用いて説明する。図５は、本発明の実施の形態に係る照明器具１に直管形ＬＥＤランプ１００を装着するときの装着方法を説明するための図である。また、図６Ａ及び図６Ｂは、本発明の実施の形態に係る給電側ソケットに口金ピンを挿入するときの様子を示す斜視図である。
【００８７】
まず、図５（ａ）に示すように、直管形ＬＥＤランプ１００の１ピン口金１２０の口金ピン１２１を、非給電側ソケット２０のプランジャー２２の挿入孔２２ｂに挿入するようにして、斜め下方から斜め上方に向かって１ピン口金１２０を非給電側ソケット２０に押し当てる。
【００８８】
続いて、図５（ｂ）に示すように、プランジャー２２に押圧力を付与しながら、２ピン口金１１０が給電側ソケット１０に対向するように２ピン口金１１０の方を持ち上げて、直管形ＬＥＤランプ１００を水平にする。このとき、同図に示すように、プランジャー２２は直管形ＬＥＤランプ１００からの押圧力によって非給電側ソケット２０内のコイルバネを縮めるようにしてソケット本体２１内に押し込まれている。このため、直管形ＬＥＤランプ１００は、コイルバネの弾性力によって付勢された状態となる。
【００８９】
その後、図５（ｃ）に示すように、直管形ＬＥＤランプ１００によるプランジャー２２への押圧力を開放する。これにより、プランジャー２２が元の位置にまで戻るとともに、２ピン口金１１０の２本の口金ピン１２１が給電側ソケット１０の回転子１２の挿入孔１２ｂ（図２（ａ）参照）に挿入される。
【００９０】
このとき、直管形ＬＥＤランプ１００が水平になっていない場合、図６Ａに示すように、２本の口金ピン１１１がピン挿入用開口１２ｂ１に挿入されずに、一方の口金ピン１１１が連結部１２ｂ２に侵入しそうになる。
【００９１】
しかしながら、本実施の形態では、連結部１２ｂ２内に突起部１３が設けられているので、連結部１２ｂ２の開口内に侵入しようとする口金ピン１１１は、先端が突起部１３に当たるので連結部１２ｂ２の開口内に侵入することができない。
【００９２】
このように、連結部１２ｂ２の内部に突起部１３を設けることによって、口金ピン１１１がピン挿入用開口１２ｂ１以外の領域（連結部１２ｂ２）に侵入することを抑止できるので、口金ピン１１１の誤装着を抑制できる。これにより、一対の口金ピン１１１の各々を一対のピン挿入用開口１２ｂ１の各々に正しく装着することができる。
【００９３】
続いて、図５（ｃ）に示すように、管軸を中心として直管形ＬＥＤランプ１００を９０度回転させる。これにより、図５（ｄ）に示すように、直管形ＬＥＤランプ１００を照明器具１に装着することができる。
【００９４】
以上、本実施の形態によれば、直管形ＬＥＤランプ１００の２ピン口金１１０に対応する給電側ソケット１０には、２ピン口金１１０の２つの口金ピン１１１が回転子１２の内部に侵入することを抑止するための抑止構造として、突起部１３が設けられている。本実施の形態において、突起部１３は、挿入孔１２ｂの内方から当該挿入孔１２ｂの開口の開口面に向かって突出するように、かつ、挿入孔１２ｂにおける１つの開口の領域のうち２本の口金ピン１１１が挿入される領域以外の領域（口金ピン非挿入開口領域）に設けられている。
【００９５】
この構成により、２ピン口金１１０の口金ピン１１１を、給電側ソケット１０の挿入孔１２ｂの所定の位置（ピン挿入用開口１２ｂ１）に挿入する際、口金ピン１１１が、挿入孔１２ｂにおける口金ピン非挿入開口領域に誤って入り込んでしまうことを抑止できる。したがって、２ピン口金１１０（口金ピン１１１）の誤装着を抑制できる。
【００９６】
また、本実施の形態では、突起部１３は、挿入孔１２ｂの連結部１２ｂ２に対応して設けられている。つまり、突起部１３は、連結部１２ｂ２内の空間領域に設けられている。これにより、２ピン口金１１０の口金ピン１１１が連結部１２ｂ２に入り込むことを抑止できる。
【００９７】
（変形例等）
以上、本発明に係るソケット、照明器具及び照明装置について、実施の形態に基づいて説明したが、本発明は、上記の実施の形態に限定されるものではない。
【００９８】
例えば、上記の実施の形態では、２つの口金ピン１１１が回転子１２の内部に侵入することを抑止するための抑止構造として突起部１３を設けたが、これに限らない。例えば、連結部１２ｂ２を、一対のピン挿入用開口１２ｂ１を接続する開口としてではなく、一対のピン挿入用開口１２ｂ１の間の領域を塞ぐような構造としてもよい。一例として、連結部１２ｂ２を受金面１２ａの一部となるように構成することが考えられる。この場合、受金面１２ａには、一対のピン挿入用開口１２ｂ１として、２つの分離された開口（挿入孔）が形成される。これにより、連結部１２ｂ２を、２つの口金ピン１１１が回転子１２の内部に侵入することを抑止するための抑止構造として用いることができる。
【００９９】
但し、上記実施の形態のように、一対のピン挿入用開口１２ｂ１の間の領域を塞がずに連結部１２ｂ２は開口として形成することが好ましい。連結部１２ｂ２を開口とすることによって、回転子１２を組み立てる際に、連結部１２ｂ２（開口）の部分で回転子１２がたわみやすくなるので、回転子１２をソケット本体１１に容易に嵌め込むことができる。また、連結部１２ｂ２を開口とすることによって、回転子１２の樹脂成型時に樹脂を容易にひくことができる。
【０１００】
また、上記実施の形態において、突起部１３は、断面形状が６方向に放射状に延びる線状部を有する形状としたが、これに限らない。突起部１３としては、口金ピン１１１が挿入孔１２ｂの連結部１２ｂ２に侵入しないような形状であればよい。具体的には、図７Ａ〜図７Ｄに示すように、断面形状が十字状の突起部１３Ａ、断面形状が円形状の突起部１３Ｂ、断面形状が矩形状の突起部１３Ｃ、又は、断面形状が多角形状の突起部１３Ｄ等を用いてもよい。
【０１０１】
また、上記実施の形態において、熱収縮による直管形ＬＥＤランプ１００の寸法変化を吸収できる構造（ランプ伸縮吸収機構）としてプランジャー２２を非給電側ソケット２０に設けたが、ランプ伸縮吸収機構は、器具本体３０に設けても構わない。つまり、非給電側ソケット２０にランプ伸縮吸収機構を設けなくても構わない。
【０１０２】
また、上記実施の形態において、ランプ伸縮吸収機構（プランジャー等）は、非給電側ソケットに設けたが、非給電側ソケットではなく給電側ソケットに設けても構わない。あるいは、両方のソケットに設けても構わない。但し、直管形ＬＥＤランプの保持等を考慮すると、本実施の形態のように、非給電側ソケットは、ランプ伸縮吸収機構（プランジャー等）を有する可動側ソケットとし、給電側ソケットは固定側ソケットとすることが好ましい。
【０１０３】
また、上記実施の形態において、直管形ＬＥＤランプ及び照明器具は、一方の口金のみから給電を行う片側給電方式を採用したが、両側給電方式としても構わない。この場合、直管形ＬＥＤランプにおける両端の口金としてはいずれも２ピン口金１１０を用い、かつ、照明器具における一対のソケットとしてはいずれも給電側ソケット１０を用いればよい。
【０１０４】
その他、実施の形態及び変形例に対して当業者が思いつく各種変形を施して得られる形態や、本発明の趣旨を逸脱しない範囲で実施の形態及び変形例における構成要素及び機能を任意に組み合わせることで実現される形態も本発明に含まれる。
【符号の説明】
【０１０５】
１、２００、３００  照明器具
２  照明装置
１０、２１０、３１０  給電側ソケット（ソケット）
１１、２１  ソケット本体
１１ａ、２１ａ  カバー
１１ｂ、２１ｂ  ボディ
１２  回転子（接続部材）
１２ａ、２２ａ  受金面
１２ｂ、２２ｂ、２１１、２２１、３１１、３２１  挿入孔
１２ｂ１、３１１ａ  ピン挿入用開口（ピン用開口）
１２ｂ２、３１１ｂ  連結部
１３、１３Ａ、１３Ｂ、１３Ｃ、１３Ｄ  突起部
１４ａ、１４ｂ  給電用端子
２０、２２０、３２０  非給電側ソケット（ソケット）
２２、３２２  プランジャー（接続部材）
３０  器具本体
１００  直管形ＬＥＤランプ
１１０  ２ピン口金（口金）
１１１、１２１  口金ピン
１２０  １ピン口金（口金）
１３０  直管
２１１ａ、２２１ａ  口金ピン挿入用開口
【図１Ａ】
2014182990.tif 000003
【図１Ｂ】
2014182990.tif 000004
【図２】
2014182990.tif 000005
【図３】
2014182990.tif 000006
【図４Ａ】
2014182990.tif 000007
【図４Ｂ】
2014182990.tif 000008
【図５】
2014182990.tif 000009
【図６Ａ】
2014182990.tif 000010
【図６Ｂ】
2014182990.tif 000011
【図７Ａ】
2014182990.tif 000012
【図７Ｂ】
2014182990.tif 000013
【図７Ｃ】
2014182990.tif 000014
【図７Ｄ】
2014182990.tif 000015
【図８】
2014182990.tif 000016
【図９】
2014182990.tif 000017
【図１０】
2014182990.tif 000018
【図１１】
2014182990.tif 000019
【図１２】
2014182990.tif 000020